(57)【特許請求の範囲】
【請求項１】
他部材に固定される金属ブラケットの筒状部と、該筒状部の一方の開口端部から延出して金属細線をメッシュ状に編んだ編組線からなるシールド部材が、端末部分に外挿されているワイヤハーネスに用いられるものであり、該ワイヤハーネスの端末部分を保護するワイヤハーネス用プロテクタの固定構造であって、
前記金属ブラケットの前記筒状部の他方の開口端部には、前記筒状部の軸直方向外方に広がるフランジ部が形成されていると共に、該フランジ部に係合突起が形成されている一方、
前記ワイヤハーネス用プロテクタが、前記金属ブラケットの前記筒状部の前記軸直方向両側から組み合わされて一体化される第一分割体および第二分割体を含んで構成されており、
前記第一分割体と前記第二分割体は、それぞれ分割筒部を有し、該第一分割体と該第二分割体を組み合わせた状態でそれらの前記分割筒部が組み合わされて前記金属ブラケットの前記筒状部を外周側から覆う保護筒部が形成されるようになっており、該保護筒部の一方の開口端部から前記ワイヤハーネスが引き出されるようになっている一方、
前記保護筒部の他方の開口端部を構成する各前記分割筒部の周縁部には、前記軸直方向に広がるフランジ壁部が突設されており、前記第一分割体と前記第二分割体を組み合わせることにより、それらの前記フランジ壁部に設けられた係合孔に前記金属ブラケットの前記係合突起が係合されると共に、前記フランジ壁部の少なくとも一部に設けた当接面が前記金属ブラケットの前記フランジ部に当接されるようになっており、
前記金属ブラケットの前記フランジ部に設けられる前記係合突起が、前記金属ブラケットの前記筒状部に対する前記第一分割体と前記第二分割体の組み合わせ方向で離隔する２箇所において、前記フランジ部の側縁部から前記組み合わせ方向の外方に互いに離隔する向きで突出する第一係合突起と第二係合突起を含んでいる一方、
前記ワイヤハーネス用プロテクタを構成する前記第一分割体の前記フランジ壁部と前記第二分割体の前記フランジ壁部には、それら前記フランジ壁部の側縁部における前記第一係合突起と前記第二係合突起に対応する位置において、前記組み合わせ方向に延出する第一係合孔と第二係合孔がそれぞれ設けられており、
前記第一分割体と前記第二分割体を前記組み合わせ方向で相互に接近させることにより、前記第一係合突起が前記第一係合孔に係合する一方、前記第二係合突起が前記第二係合孔に係合されるようになっている
ことを特徴とするワイヤハーネス用プロテクタの固定構造。
【請求項２】
前記金属ブラケットの前記フランジ部の上端部に前記他部材に固定される固定部が設けられている一方、
前記第一分割体と前記第二分割体のそれぞれの前記フランジ壁部には、前記金属ブラケットの前記フランジ部の下方側に重ね合される部位に前記当接面が設けられている請求項１に記載のワイヤハーネス用プロテクタの固定構造。
【請求項３】
前記第一分割体と前記第二分割体のそれぞれの前記フランジ壁部には、前記金属ブラケットの前記フランジ部の上方側に重ね合される部位にも前記当接面が設けられている請求項２に記載のワイヤハーネス用プロテクタの固定構造。
【請求項４】
前記第一係合突起と前記第一係合孔の組み合わせと、前記第二係合突起と前記第二係合孔の組み合わせが、前記金属ブラケットの筒状部の上下両側にそれぞれ設けられている請求項１〜３の何れか１項に記載のワイヤハーネス用プロテクタの固定構造。
【請求項５】
前記係合突起が前記フランジ部の周縁部に突設された平板形状を有している一方、前記係合孔が前記フランジ壁部と該フランジ壁部に連結されかつ該フランジ壁部に対して隙間を隔てて平行に広がる対向壁部の内側の対向面間に画成されている請求項１〜４の何れか１項に記載のワイヤハーネス用プロテクタの固定構造。
【請求項６】
前記金属ブラケットの前記筒状部に装着されたシールゴムにより、前記筒状部と前記保護筒部の隙間が塞がれている請求項１〜５の何れか１項に記載のワイヤハーネス用プロテクタの固定構造。
【発明の詳細な説明】
【技術分野】
【０００１】
本発明は、他部材に固定される金属製のシールド部材が外挿されたワイヤハーネスの端末部分に取り付けられる、ワイヤハーネス用プロテクタの固定構造に関するものである。
【背景技術】
【０００２】
従来から、例えば電気自動車やハイブリッド自動車等において、自動車のインバータとモータ等の電気機器は、ワイヤハーネスによって接続されている。このようなワイヤハーネスには、特開２００４−１７８９１３号公報（特許文献１）に記載されているように、ワイヤハーネスが挿通される筒状部を有する金属ブラケットと筒状部の端部から延出する金属細線がメッシュ状に編まれて形成された編組線からなるシールド部材が外挿されており、これによってインバータ等から発生する電気ノイズがワイヤハーネスを通じて外部に漏洩するのを防止するシールド機能が付与されている。そして、金属ブラケットの端部がインバータ等の他部材にボルト等で固定されると共に、金属ブラケットの筒状部を挿通して外部に突出するワイヤハーネスの端末に設けられた電線側端子（コネクタ）がインバータ等の接続部に接続されるようになっている。
【０００３】
ところで、ワイヤハーネスの端末に設けられた電線側端子は、インバータ等の電気機器に接続されることから、接続信頼性を確保するために、ワイヤハーネスの端末部分は、他部材との衝突等から特に保護される必要がある。そこで、ワイヤハーネスにプロテクタを外挿することで、ワイヤハーネスの端末部分をプロテクタで保護することが考えられる。
【０００４】
しかし、プロテクタの配設位置の付近に、車体パネル等の適当な取付部材が存しない場合には、プロテクタをワイヤハーネス上で位置決めすることが困難となる。それゆえ、単にプロテクタをワイヤハーネスに外挿するのみでは、プロテクタがワイヤハーネス上で位置ずれして、目的の部位を保護することができなくなるという問題があった。
【０００５】
そこで、特開２０１３−１４３８４１号公報（特許文献２）の図１に記載されているように、インバータ等の他部材に固定される金属ブラケットの筒状部に係止リブを形成し、該係止リブをプロテクタの内面に形成された係合溝に挿通して係止することにより、プロテクタをブラケットに固定する構造が提案されている。かかる構造によれば、車体パネル等のプロテクタの取付部材が近接して存しない場合でも、プロテクタをワイヤハーネスの端末部分に位置決めして配設することができて、ワイヤハーネスの端末部分を確実に保護することができる。
【０００６】
しかしながら、金属ブラケットの筒状部を覆うプロテクタの内面に金属ブラケットの係止リブを収容する係合溝を設けると、プロテクタ外面が被水した場合に、係止リブと係合溝の間の微小隙間を伝って水が内部に浸入する可能性が考えられる。また、ワイヤハーネスの引張力がプロテクタに加えられた場合、薄肉の係止リブと薄肉の係合溝の嵌合面間に引張力が集中的に及ぼされ、収容溝等の破損等を招く可能性も考えられる。さらに、防水上の観点から金属ブラケットの筒状部の外周面にシールゴムを装着し、筒状部とプロテクタ内面の隙間を閉塞して、プロテクタの外部からワイヤハーネス側への水等の浸入を防止する必要がある場合もある。そのような場合は、筒状部に形成する係止リブがシールゴムの装着の邪魔になることから、係止リブを用いる固定構造の採用が困難となるという問題も内在している。
【先行技術文献】
【特許文献】
【０００７】
【特許文献１】特開２００４−１７８９１３号公報
【特許文献２】特開２０１３−１４３８４１号公報
【発明の概要】
【発明が解決しようとする課題】
【０００８】
本発明は、上述の事情を背景に為されたものであって、その解決課題は、周囲に車体パネル等の取付部材が存しない場合でも、防水性を向上しつつプロテクタをワイヤハーネスの端末部分に強固かつ優れた耐久性をもって位置決め固定することのできる、新規な構造のワイヤハーネス用プロテクタの固定構造を提供することにある。
【課題を解決するための手段】
【０００９】
本発明の第一の態様は、他部材に固定される金属ブラケットの筒状部と、該筒状部の一方の開口端部から延出して金属細線をメッシュ状に編んだ編組線からなるシールド部材が、端末部分に外挿されているワイヤハーネスに用いられるものであり、該ワイヤハーネスの端末部分を保護するワイヤハーネス用プロテクタの固定構造であって、前記金属ブラケットの前記筒状部の他方の開口端部には、前記筒状部の軸直方向外方に広がるフランジ部が形成されていると共に、該フランジ部に係合突起が形成されている一方、前記ワイヤハーネス用プロテクタが、前記金属ブラケットの前記筒状部の前記軸直方向両側から組み合わされて一体化される第一分割体および第二分割体を含んで構成されており、前記第一分割体と前記第二分割体は、それぞれ分割筒部を有し、該第一分割体と該第二分割体を組み合わせた状態でそれらの前記分割筒部が組み合わされて前記金属ブラケットの前記筒状部を外周側から覆う保護筒部が形成されるようになっており、該保護筒部の一方の開口端部から前記ワイヤハーネスが引き出されるようになっている一方、前記保護筒部の他方の開口端部を構成する各前記分割筒部の周縁部には、前記軸直方向に広がるフランジ壁部が突設されており、前記第一分割体と前記第二分割体を組み合わせることにより、それらの前記フランジ壁部に設けられた係合孔に前記金属ブラケットの前記係合突起が係合されると共に、前記フランジ壁部の少なくとも一部に設けた当接面が前記金属ブラケットの前記フランジ部に当接されるようになっており、前記金属ブラケットの前記フランジ部に設けられる前記係合突起が、前記金属ブラケットの前記筒状部に対する前記第一分割体と前記第二分割体の組み合わせ方向で離隔する２箇所において、前記フランジ部の側縁部から前記組み合わせ方向の外方に互いに離隔する向きで突出する第一係合突起と第二係合突起を含んでいる一方、前記ワイヤハーネス用プロテクタを構成する前記第一分割体の前記フランジ壁部と前記第二分割体の前記フランジ壁部には、それら前記フランジ壁部の側縁部における前記第一係合突起と前記第二係合突起に対応する位置において、前記組み合わせ方向に延出する第一係合孔と第二係合孔がそれぞれ設けられており、前記第一分割体と前記第二分割体を前記組み合わせ方向で相互に接近させることにより、前記第一係合突起が前記第一係合孔に係合する一方、前記第二係合突起が前記第二係合孔に係合されるようになっていることを特徴とする。
【００１０】
本態様によれば、金属ブラケットの筒状部から広がるフランジ部に係合突起を設ける一方、ワイヤハーネス用プロテクタの保護筒部の開口端部から広がるフランジ壁部に係合孔を設け、係合突起と係合孔の嵌め合いにより金属ブラケットにプロテクタを固定するようにした。それゆえ、従来の如き、金属ブラケットの筒状部の外面とかかる筒状部を覆うプロテクタの保護筒部の内面の間にリブと溝による固定構造を設ける場合に比して、固定構造を介してプロテクタ内に外部の水等が浸入する不具合を防止することができ、ワイヤハーネス用プロテクタの防水性の向上を図ることができる。さらに、金属ブラケットの筒状部の外面にリブ等が設けられておらず、筒状部の覆うプロテクタの保護筒部の内面にも溝等を設ける必要がないことから、例えば、筒状部にシールゴムを装着して筒状部と保護筒部の隙間を塞いで止水性の向上を図る対策も問題なく採用することができる。
【００１１】
しかも、金属ブラケットの筒状部を外装状態で覆うワイヤハーネス用プロテクタが、筒状部の軸直方向両側から組み合わされる第一分割体と第二分割体によって構成されていることから、固定構造を筒状部や保護筒部と異なる位置に設けても、金属ブラケットの筒状部の周囲にプロテクタの保護筒部を配設する作業と固定構造を構成する係合突起と係合孔の組み付け作業を容易に行うことができる。
【００１２】
加えて、ワイヤハーネス用プロテクタに設けたフランジ壁部の当接面を金属ブラケットのフランジ部に当接するように構成されていることから、ワイヤハーネスの引張力等がプロテクタに加えられた場合でも、かかる外力を金属ブラケットのフランジ部とプロテクタのフランジ壁部の広い当接面間で支持することができる。それゆえ、従来構造のようにかかる外力が係合突起と係合孔に直接及ぼされる等の問題も解消されており、ワイヤハーネス用プロテクタをワイヤハーネスの端末部分に強固かつ優れた耐久性をもって位置決め固定することができる。また、本態様では、第一分割体と第二分割体の組み合わせ方向の外方に突出する第一／第二係合突起と、かかる組み合わせ方向に延出する第一／第二係合孔をそれぞれ所定位置に設けることにより、第一分割体と第二分割体を組み合わせ方向で相互に接近させるだけで、第一／第二分割体の組み付けと同時に、第一係合突起と第一係合孔および第二係合突起と第二係合孔に係合を完了することができ、金属ブラケットに対するワイヤハーネス用プロテクタの取付作業を一層効率よく簡便に行うことができる。
【００１３】
本発明の第二の態様は、前記第一の態様に記載のものにおいて、前記金属ブラケットの前記フランジ部の上端部に前記他部材に固定される固定部が設けられている一方、前記第一分割体と前記第二分割体のそれぞれの前記フランジ壁部には、前記金属ブラケットの前記フランジ部の下方側に重ね合される部位に前記当接面が設けられているものである。
【００１４】
本態様によれば、金属ブラケットの他部材の固定位置から下方に向かってワイヤハーネスが引き出される場合にワイヤハーネスに加えられる荷重が及ぼされ易いプロテクタのフランジ壁部の下方側に、金属ブラケットのフランジ部への当接面が設けられている。これにより、より有効かつ安定的にワイヤハーネスから加わる外力をプロテクタを介して金属ブラケットに分散支持させることができて、プロテクタの安定した固定と耐久性のさらなる向上を図ることができる。
【００１５】
本発明の第三の態様は、前記第二の態様に記載のものにおいて、前記第一分割体と前記第二分割体のそれぞれの前記フランジ壁部には、前記金属ブラケットの前記フランジ部の上方側に重ね合される部位にも前記当接面が設けられているものである。
【００１６】
本態様によれば、ワイヤハーネス用プロテクタのフランジ壁部の上方側にも金属ブラケットのフランジ部への当接面が設けられていることから、ワイヤハーネスを上下両側に挟んだ４点でより一層安定的にプロテクタを金属ブラケットに対して支持固定することができる。
【００１９】
本発明の第四の態様は、前記第一〜第三の何れか１つの態様に記載のものにおいて、前記第一係合突起と前記第一係合孔の組み合わせと、前記第二係合突起と前記第二係合孔の組み合わせが、前記金属ブラケットの筒状部の上下両側にそれぞれ設けられているものである。
【００２０】
本態様によれば、金属ブラケットの筒状部の上下両側に第一係合突起／第一係合孔のペアと、第二係合突起／第二係合のペアがそれぞれ設けられていることから、ワイヤハーネスを上下両側に挟んだ４箇所でより一層安定的にプロテクタを金属ブラケットに対して係合固定することができる。
【００２１】
本発明の第五の態様は、前記第一〜第四の何れか１つの態様に記載のものにおいて、前記係合突起が前記フランジ部の周縁部に突設された平板形状を有している一方、前記係合孔が前記フランジ壁部と該フランジ壁部に連結されかつ該フランジ壁部に対して隙間を隔てて平行に広がる対向壁部の内側の対向面間に画成されているものである。
【００２２】
本態様によれば、平板形状の係合突起をフランジ壁部と対向壁部の対向面間により画成される係合孔で挟持することができることから、安定した固定構造を実現できる。
【００２３】
本発明の第六の態様は、前記第一〜第五の何れか１つの態様に記載のものにおいて、前記金属ブラケットの前記筒状部に装着されたシールゴムにより、前記筒状部と前記保護筒部の隙間が塞がれているものである。
【００２４】
本態様によれば、従来の如き金属ブラケットの筒状部の外面にリブ等が設けられておらず、筒状部の覆うプロテクタの保護筒部の内面にも溝等を設ける必要がないことから、筒状部にシールゴムを装着することができる。これにより、筒状部と保護筒部の隙間を塞ぐことができ、止水性の向上を図ることができる。
【発明の効果】
【００２５】
本発明においては、金属ブラケットのフランジ部に係合突起を設ける一方、ワイヤハーネス用プロテクタのフランジ壁部に係合孔を設け、係合突起と係合孔の嵌め合いにより金属ブラケットにプロテクタを固定するようにした。それゆえ、従来の如き、金属ブラケットの筒状部の外面とプロテクタの保護筒部の内面の間にリブと溝による固定構造を設ける場合に比して、固定構造を介してプロテクタ内に外部の水等が浸入する不具合を防止できる上に、必要に応じて筒状部にシールゴムを装着して筒状部と保護筒部の隙間を塞いで止水性の向上を図る対策も採用可能となる。しかも、ワイヤハーネス用プロテクタが第一分割体と第二分割体によって構成されていることから、金属ブラケットの筒状部の周囲にプロテクタの保護筒部を配設する作業と固定構造を構成する係合突起と係合孔の組み付け作業を容易に行うことができる。加えて、ワイヤハーネス用プロテクタに設けたフランジ壁部の当接面を金属ブラケットのフランジ部に当接するように構成されていることから、ワイヤハーネスの引張力等を金属ブラケットのフランジ部とプロテクタのフランジ壁部の広い当接面間で支持することができる。それゆえ、ワイヤハーネス用プロテクタをワイヤハーネスの端末部分に強固かつ優れた耐久性をもって位置決め固定することができる。
【図面の簡単な説明】
【００２６】
【図１】本発明の一実施形態としてのワイヤハーネス用プロテクタの固定構造を示す斜視図。
【図２】本実施形態の背面側から見た斜視図。
【図３】図１の底面図。
【図４】図３におけるＩＶ−ＩＶ断面図。
【図５】本実施形態の金属ブラケットに対するワイヤハーネス用プロテクタの組付け状態を説明するための斜視図。
【図６】本実施形態のワイヤハーネス用プロテクタの組付け状態を説明するための斜視図であって、図５から金属ブラケットを除いた図。
【図７】図６の背面側から見た斜視図。
【図８】本実施形態の金属ブラケットの斜視図。
【発明を実施するための形態】
【００２７】
以下、本発明の実施形態について、図面を参照しつつ説明する。
【００２８】
図１〜８に、本発明の一実施形態としてのワイヤハーネス用プロテクタの固定構造を備えたワイヤハーネス１０とワイヤハーネス用プロテクタ１２を示す。なお、車両装着状態では、後述する固定部５８側が上方となり、後述する編組線３８側が下方となる。
【００２９】
図１に示されているように、ワイヤハーネス１０は、例えば電気自動車におけるインバータやモータ等の電気機器間を接続するために用いられる。ワイヤハーネス１０は、複数（本実施形態においては２本）の電線１４の端末部分１６にコネクタハウジング１８が設けられると共に、かかるコネクタハウジング１８と電線１４に対してシールド部材２０が外挿された構造とされている。図４に示されているように、電線１４は、導体である銅やアルミニウムその他の金属線の複数を束ね合わせた芯線２２が、エチレン系樹脂やスチレン系樹脂等の電気絶縁性を有する絶縁被覆２４で覆われた構造とされており、シールド層を有さないものである。各電線１４の端末部分１６には、端子金具２６が接続されている。より詳細には、端子金具２６は略横長矩形平板状の金属板とされており、電線１４の端末部分１６に露呈された芯線２２が圧着された芯線圧着部２８と、芯線圧着部２８から延出してインバータなどの他部材３０に対して導通可能に接続される接続部３２を含んで構成されており、接続部３２にはボルト孔３４が貫設されている。なお、理解を容易とするために、他部材３０は仮想線で記載されている。一方、コネクタハウジング１８は略楕円断面形状で前後方向に延出する略ブロック形状とされており、前後方向に向かって開口する端子金具挿通孔３６が貫設されていると共に、端子金具挿通孔３６の前方側の開口部周縁部には前方に向かって突出しかつ前方に向かって開口する略角筒状の端子金具収容筒部３７が形成されている。そして、電線１４が接続された端子金具２６を後方から端子金具挿通孔３６に挿入し、端子金具２６の接続部３２の基端部が端子金具挿通孔３６に載置されかつ接続部３２の先端部が端子金具収容筒部３７に収容されるように配置することにより、電線１４がコネクタハウジング１８に対して位置決め固定されるようになっている。
【００３０】
そして、これら電線１４には、シールド部材２０が外挿されている。シールド部材２０は、後述する金属ブラケット４０の筒状部４２の一方の開口端部４４から編組線３８が延出するように形成された構造とされている（図４参照）。編組線３８は、複数本の金属細線がメッシュ状に編まれて形成された筒形状とされており、金属細線の有する可撓性により、径方向および長さ方向に若干伸縮可能とされている。
【００３１】
一方、図８に示されているように、金属ブラケット４０は、例えば鉄等の金属板材に深絞り加工を施して形成された金属製の単一部品とされている。金属ブラケット４０には、全体としてオーバル状の筒形状を有する筒状部４２と、筒状部４２の他方の開口端部４６から全周に亘って筒状部４２の軸直方向外方に広がる略矩形平板状のフランジ部４８が形成されている。ここで、筒状部４２は、ワイヤハーネス１０の複数の電線１４を並列可能な長さ寸法をもって直線状に延びる直線状部５０を有するオーバル形状とされている。
【００３２】
また、金属ブラケット４０のフランジ部４８には係合突起５２が形成されている。より詳細には、かかる係合突起５２は、後述する金属ブラケット４０の筒状部４２に対するワイヤハーネス用プロテクタ１２の第一分割体１２ａと第二分割体１２ｂの組み合わせ方向（図１（８）中、上下方向）で離隔する２箇所において、図８に示されているように、フランジ部４８の側縁部から上記組み合わせ方向の外方に互いに離隔する向きで突出する第一係合突起５４と第二係合突起５６を含んで構成されている。ここで、第一係合突起５４は、金属ブラケット４０のフランジ部４８の上端部（フランジ部４８を他部材３０に固定する際の配置であって、図８の左側）に突設された略矩形平板形状の上側第一係合突起５４ａと下端部（同、図８の右側）に突設された略矩形平板形状の下側第一係合突起５４ｂから構成されている。一方、第二係合突起５６は、図８に示されているように、金属ブラケット４０のフランジ部４８の上端部（同、図８の左側）に突設された略クランク状平板形状の上側第二係合突起５６ａと下端部（同、図８の右側）に突設された略矩形平板形状の下側第二係合突起５６ｂから構成されている。
【００３３】
加えて、金属ブラケット４０のフランジ部４８の上端部（同、図８の左側）の両側には、図１に示されているように、例えば、インバータなどの他部材３０に固定される固定部５８が設けられている。より詳細には、固定部５８は、フランジ部４８から筒状部４２と反対側に略三角断面形状で突出して形成されていると共に、固定部５８の略中央部分には、ボルト孔６０が貫設されて構成されている。
【００３４】
図１〜４に示されているように、このような構成とされた金属ブラケット４０の一方の開口端部４４から、編組線３８からなるシールド部材２０が延出されている。そして、シールド部材２０の編組線３８および金属ブラケット４０に複数（本実施形態においては２本）の電線１４が挿通されて、各電線１４の端子金具２６の接続部３２の先端部を収容した端子金具収容筒部３７が金属ブラケット４０の他方の開口端部４６から外方の他部材３０側に向かって導出されている。さらに、金属ブラケット４０の筒状部４２の外周面に装着されたシールゴム６１により、筒状部４２と後述する保護筒部６２間の隙間が塞がれている。
【００３５】
次に、図５〜７を用いて、ワイヤハーネス用プロテクタ１２について説明する。ワイヤハーネス用プロテクタ１２は、合成樹脂製とされており、ワイヤハーネス１０の端末部分１６を保護するために設けられている。より詳細には、ワイヤハーネス用プロテクタ１２は、Ｌ字状に延びる略円筒状とされており、かかる円筒を軸方向に半分に分割した第一分割体１２ａと第二分割体１２ｂを含んで構成されている。すなわち、ワイヤハーネス用プロテクタ１２は、かかる第一分割体１２ａと第二分割体１２ｂを金属ブラケット４０の筒状部４２の軸直方向両側から組み合わせて一体化することにより構成されるようになっているのである。したがって、第一分割体１２ａと第二分割体１２ｂは、それぞれ略半円断面形状でＬ字状に延びる分割筒部６２ａ，６２ｂを有しており、第一分割体１２ａと第二分割体１２ｂを組み合わせた状態でそれらの分割筒部６２ａ，６２ｂが組み合わされて金属ブラケット４０の筒状部４２を外周側から覆う保護筒部６２が形成されるようになっている。なお、これら第一分割体１２ａと第二分割体１２ｂの組付けの際に対向する端縁部には、第一分割体１２ａにおいて４つの係止片６３が、また第二分割体１２ｂにおいて４つの係止片６３が挿し込まれて係止される係止枠６４が形成されている。
【００３６】
保護筒部６２の一方の開口端部６５は、図５に示されているように、Ｌ字状に屈曲されて、金属ブラケット４０のフランジ部４８の下端側（フランジ部４８を他部材３０に固定する際の配置であって、図５の手前側）に向かって延び出している。一方、保護筒部６２の他方の開口端部６６を構成する各分割筒部６２ａ，６２ｂの周縁部には、図６〜７に示されているように、軸直方向外方に向かって略矩形平板形状で突出するフランジ壁部６８，７０が設けられている。ここで、フランジ壁部６８は、図６に示されているように、第一分割体１２ａの上端側（金属ブラケット４０のフランジ部４８を他部材３０に固定する際の配置であって、図６の左側）に突設された略矩形平板形状の上側フランジ壁部６８ａと下端部（同、図６の右側）に突設された略矩形平板形状の下側フランジ壁部６８ｂから構成されている。そして、上側フランジ壁部６８ａおよび下側フランジ壁部６８ｂの他方の開口端部６６側の面が、第一分割体１２ａを金属ブラケット４０のフランジ部４８に組み付けた際に金属ブラケット４０のフランジ部４８に当接する当接面７２ａ，７２ｂとされている。また、上側フランジ壁部６８ａおよび下側フランジ壁部６８ｂの突出端部である側縁部において、第一係合突起５４を構成する上側および下側第一係合突起５４ａ，５４ｂに対応する位置において、上記組み合わせ方向に延出する上側第一係合孔７４ａおよび下側第一係合孔７４ｂからなる第一係合孔７４が設けられている。より詳細には、第一係合孔７４ａ，７４ｂは、フランジ壁部６８ａ，６８ｂと、フランジ壁部６８ａ，６８ｂに連結されかつフランジ壁部６８ａ，６８ｂに対して隙間を隔てて平行に広がる対向壁部７６ａ，７６ｂの対向面間に画成されているのである。
【００３７】
一方、フランジ壁部７０についても同じように、図６に示されているように、第二分割体１２ｂの上端側（金属ブラケット４０のフランジ部４８を他部材３０に固定する際の配置であって、図６の左側）に突設された略矩形平板形状の上側フランジ壁部７０ａと下端部（同、図６の右側）に突設された略矩形平板形状の下側フランジ壁部７０ｂから構成されている。上側フランジ壁部７０ａおよび下側フランジ壁部７０ｂの他方の開口端部６６側の面が、第二分割体１２ｂを金属ブラケット４０のフランジ部４８に組み付けた際に金属ブラケット４０のフランジ部４８に当接する当接面７８ａ，７８ｂとされている。また、上側フランジ壁部６８ａおよび下側フランジ壁部６８ｂの突出端部である側縁部において、第二係合突起５６を構成する上側および下側第二係合突起５６ａ，５６ｂに対応する位置において、上記組み合わせ方向に延出する上側第二係合孔８０ａおよび下側第二係合孔８０ｂからなる第二係合孔８０が設けられている。より詳細には、第二係合孔８０ａ，８０ｂは、フランジ壁部７０ａ，７０ｂと、フランジ壁部７０ａ，７０ｂに連結されかつフランジ壁部７０ａ，７０ｂに対して隙間を隔てて平行に広がる対向壁部８２ａ，８２ｂの対向面間に画成されているのである。
【００３８】
このような構造とされたワイヤハーネス用プロテクタ１２が、図１〜４に示されているように、ワイヤハーネス１０を構成する金属ブラケット４０に組み付けられる。より詳細には、ワイヤハーネス用プロテクタ１２を構成する第一分割体１２ａと第二分割体１２ｂを組み合わせ方向（図１中、上下方向）で相互に接近させる。これにより、第一係合突起５４を構成する上側第一係合突起５４ａおよび下側第一係合突起５４ｂがそれぞれ第一係合孔７４を構成する上側第一係合孔７４ａおよび下側第一係合孔７４ｂに係合する一方、第二係合突起５６を構成する上側第二係合突起５６ａおよび下側第二係合突起５６ｂがそれぞれ第二係合孔８０を構成する上側第二係合孔８０ａおよび下側第二係合孔８０ｂに係合されるようになっている。併せて、第一分割体１２ａと第二分割体１２ｂの組付けの際に対向する端縁部に設けられた第二分割体１２ｂの４つの係止枠６４に対して、第一分割体１２ａの４つの係止片６３が挿し込まれて係止されるようになっている。このようにして、ワイヤハーネス１０の端末部分１６にワイヤハーネス用プロテクタ１２が外挿されると共に、各電線１４に接続された端子金具２６が収容配置されたコネクタハウジング１８が、ワイヤハーネス用プロテクタ１２の他方の開口端部６６および金属ブラケット４０の他方の開口端部４６を通じて、ワイヤハーネス用プロテクタ１２の外部に突出される。これにより、ワイヤハーネス１０の端末部分１６が、ワイヤハーネス用プロテクタ１２で案内されて屈曲形状に維持されて他部材３０の衝突等から保護されると共に、保護筒部６２の一方の開口端部６５からワイヤハーネス１０が引き出されるようになっている。
【００３９】
このように組み付けられた第一分割体１２ａと第二分割体１２ｂにはそれぞれ、金属ブラケット４０のフランジ部４８の下方側（金属ブラケット４０のフランジ部４８を他部材３０に固定する際の配置であって、図１の右側）において、第一分割体１２ａの下側フランジ壁部６８ｂの当接面７２ｂと第二分割体１２ｂの下側フランジ壁部７０ｂの当接面７８ｂで金属ブラケット４０のフランジ部４８に当接されている。同様に、金属ブラケット４０のフランジ部４８の上方側（金属ブラケット４０のフランジ部４８を他部材３０に固定する際の配置であって、図１の左側）においても、第一分割体１２ａの上側フランジ壁部６８ａの当接面７２ａと第二分割体１２ｂの上側フランジ壁部７０ａの当接面７８ａで金属ブラケット４０のフランジ部４８に当接されている。
【００４０】
そして、ワイヤハーネス用プロテクタ１２が外挿されたワイヤハーネス１０は、他部材３０に接続される。他部材３０は、例えばインバータ等であり、導電性のシールドケース８４内に図示しない機器本体が収容された構成とされている。このような他部材３０にワイヤハーネス１０を接続する際には、ワイヤハーネス用プロテクタ１２の他方の開口端部６６および金属ブラケット４０の他方の開口端部４６を通じて外部に突出された電線１４の端子金具２６の接続部３２を、シールドケース８４内の図示しない機器側端子に対してボルト締結することにより行われる。続いて、金属ブラケット４０のフランジ部４８をシールドケース８４に重ね合わせて、フランジ部４８の固定部５８をシールドケース８４に対してネジ止め固定する。これにより、金属ブラケット４０がシールドケース８４に固定されると共に、ワイヤハーネス用プロテクタ１２が、金属ブラケット４０を介してシールドケース８４に固定される。このようにして、ワイヤハーネス１０が他部材３０に接続される。
【００４１】
本実施形態に従う固定構造を備えたワイヤハーネス１０とワイヤハーネス用プロテクタ１２においては、金属ブラケット４０のフランジ部４８には第一係合突起５４と第二係合突起５６からなる係合突起５２が形成する一方、ワイヤハーネス用プロテクタ１２のフランジ壁部６８，７０にはそれぞれ第一係合孔７４，第二係合孔８０を設けた。そして、係合突起５４，５６と係合孔７４，８０を係合することにより金属ブラケット４０に対してプワイヤハーネス用プロテクタ１２を固定するようにした。それゆえ、従来の如き、金属ブラケットの筒状部の外面とかかる筒状部を覆うワイヤハーネス用プロテクタの内面の間に係止リブと係合溝による固定構造を設けた場合に比して、ワイヤハーネス用プロテクタ１２の外面が被水した場合に、係止リブと係合溝の間の微小隙間を伝って水等が内部に浸入する不具合を防止することができ、ワイヤハーネス用プロテクタ１２の防水性の向上を図ることができる。また、係止リブと係合溝による固定構造を設ける必要がないことから、金属ブラケット４０の筒状部４２にシールゴム６１を装着して金属ブラケット４０の筒状部４２とワイヤハーネス用プロテクタ１２の保護筒部６２間の隙間を塞ぐことにより、止水性の向上を図ることも可能となる。
【００４２】
しかも、ワイヤハーネス用プロテクタ１２が、金属ブラケット４０の筒状部４２の軸直方向両側から組み合わされる第一分割体１２ａと第二分割体１２ｂによって構成されている。これにより、金属ブラケット４０とワイヤハーネス用プロテクタ１２の固定構造を金属ブラケット４０の筒状部４２やワイヤハーネス用プロテクタ１２の保護筒部６２と異なる位置に設けても、金属ブラケット４０の筒状部４２の周囲にワイヤハーネス用プロテクタ１２の保護筒部６２を配設する作業と固定構造を構成する係合突起５４，５６と係合孔７４，８０を係合する作業を容易に行うことができる。
【００４３】
加えて、ワイヤハーネス用プロテクタ１２のフランジ壁部６８，７０の当接面７２ｂ，７８ｂ、７２ａ，７８ａが金属ブラケット４０のフランジ部４８に当接するように構成されていることから、ワイヤハーネス１０の引張力等がワイヤハーネス用プロテクタ１２に加えられた場合でも、かかる外力をワイヤハーネス用プロテクタ１２のフランジ壁部６８，７０と金属ブラケット４０のフランジ部４８の広い当接面間で支持することができる。それゆえ、かかる外力がワイヤハーネス用プロテクタ１２の係合突起５４，５６と係合孔７４，８０に直接及ぼされることを回避して、ワイヤハーネス用プロテクタ１２をワイヤハーネス１０の端末部分１６に対して強固かつ優れた耐久性をもって位置決め固定できるようになっている。しかも、ワイヤハーネス用プロテクタ１２のフランジ壁部６８，７０の下方側のみならず上方側にも、金属ブラケット４０のフランジ部４８への当接面７２ｂ，７８ｂ、７２ａ，７８ａが設けられていることから、ワイヤハーネス１０を上下両側に挟んだ４点でより一層安定的にワイヤハーネス用プロテクタ１２を金属ブラケット４０に対して支持固定することが可能となっている。
【００４４】
また、金属ブラケット４０のフランジ部４８の側縁部からワイヤハーネス用プロテクタ１２の第一分割体１２ａと第二分割体１２ｂの組み合わせ方向（図１（８）中、上下方向）の外方に突出する第一係合突起５４，第二係合突起５６と、かかる組み合わせ方向に延出する第一係合孔７４，第二係合孔８０がそれぞれ所定位置に設けられている。これにより、第一分割体１２ａと第二分割体１２ｂを組み合わせ方向で相互に接近させるだけで、第一分割体１２ａと第二分割体１２ｂの組み付けと同時に、第一係合突起５４と第一係合孔７４および第二係合突起５６と第二係合孔８０を係合することができ、金属ブラケット４０に対するワイヤハーネス用プロテクタ１２の取付作業を効率よく簡便に行うことができる。しかも、金属ブラケット４０の筒状部４２の上下両側に、第一係合突起５４，第一係合孔７４のペアと第二係合突起５６，第二係合孔８０のペアがそれぞれ設けられていることから、ワイヤハーネス１０を上下両側に挟んだ４箇所でより一層安定的にワイヤハーネス用プロテクタ１２を金属ブラケット４０に対して係合固定することができる。加えて、平板形状の係合突起５２をフランジ壁部６８，７０と対向壁部７６，８２の対向面間により画成される係合孔７４，８０で挟持することができることから、安定した固定構造を実現できるのである。
【００４５】
以上、本発明の実施形態について詳述したが、本発明はその具体的な記載によって限定されない。例えば、本実施形態では、ワイヤハーネス用プロテクタ１２のフランジ壁部６８，７０の下方側のみならず上方側にも、金属ブラケット４０のフランジ部４８への当接面７２ｂ，７８ｂ、７２ａ，７８ａが設けられていたが、金属ブラケット４０の他部材３０に対する固定位置から下方に向かってワイヤハーネス１０が引き出される場合に、ワイヤハーネス１０に加えられる荷重が及ぼされ易い、ワイヤハーネス用プロテクタ１２のフランジ壁部６８，７０の下方側のみに、金属ブラケット４０のフランジ部４８への当接面７２ｂ，７８ｂが設けられていてもよい。これにより、より有効かつ安定的にワイヤハーネス１０から加わる外力をワイヤハーネス用プロテクタ１２を介して金属ブラケット４０に分散支持させることができて、ワイヤハーネス用プロテクタ１２の安定した固定と耐久性のさらなる向上を図ることができる。
【００４６】
また、第一分割体１２ａと第二分割体１２ｂを組み合わせ状態に保持する機構は、例示の係止片６３と係止枠６４に限定されず、それらを組み合わせ状態に保持できるものであれば、いずれの機構も採用可能である。また、例示の実施形態では、金属ブラケット４０の筒状部４２とワイヤハーネス用プロテクタ１２の保護筒部６２の間にシールゴム６１が配設されていたが、シールゴム６１は必ずしも必要ではない。金属ブラケット４０の筒状部４２とワイヤハーネス用プロテクタ１２の保護筒部６２を直接密着させることで、防水性を確保してもよい。
【符号の説明】
【００４７】
１０：ワイヤハーネス、１２：ワイヤハーネス用プロテクタ、１２ａ：第一分割体、１２ｂ：第二分割体、１６：端末部分、２０：シールド部材、３０：他部材、３８：編組線、４０：金属ブラケット、４２：筒状部、４４：一方の開口端部、４６：他方の開口端部、４８：フランジ部、５２：係合突起、５４：第一係合突起、５６：第二係合突起、５８：固定部、６１：シールゴム、６２：保護筒部、６２ａ，ｂ：分割筒部、６５：一方の開口端部、６６：他方の開口端部、６８：フランジ壁部、７０：フランジ壁部、７２ａ，ｂ：当接面、７４：第一係合孔（係合孔）、７６：対向壁部、７８ａ，ｂ：当接面、８０：第二係合孔（係合孔）、８２：対向壁部
【図１】
0006358141.tif 000002
【図２】
0006358141.tif 000003
【図３】
0006358141.tif 000004
【図４】
0006358141.tif 000005
【図５】
0006358141.tif 000006
【図６】
0006358141.tif 000007
【図７】
0006358141.tif 000008
【図８】
0006358141.tif 000009